(57)【特許請求の範囲】
【請求項１】
車両フレームと前輪側マッドガード及び後輪側マッドガードとにより区画されたモータ室内に荷役用のポンプモータが搭載されたバッテリフォークリフトにおいて、
モータ室の底部の一部にブラケットを張設すると共にこのブラケットの上にポンプモータを固定してモータ室の底部を車両外部に対して開放し、
モータ室の前端部及び後端部を区画する前輪側マッドガード及び後輪側マッドガードの相対する位置にそれぞれ通風用の開口部を形成し、
モータ室の上部を区画する車両フレームにも通風用の開口部を形成したことを特徴とするバッテリフォークリフトのポンプモータ取付構造。
【発明の詳細な説明】
【０００１】
【発明の属する技術分野】
この発明はバッテリフォークリフトのポンプモータ取付構造に係り、特にポンプモータの冷却効果を有する取付構造に関する。
【０００２】
【従来の技術】
図４に示されるように、バッテリを駆動源として搭載したバッテリフォークリフトには、通常、走行用モータ１と共に荷役用のポンプモータ２が搭載されている。このポンプモータ２は、車両の一側部において車両フレーム３の下部で且つ前輪４と後輪５との間に取り付けられている。
【０００３】
ポンプモータ２は、図５に示されるように、ボルト等によって搭載プレート６上に固定され、この搭載プレート６の前端部及び後端部が車両フレーム３の前輪側マッドガード７に設けられたブラケット８と後輪側マッドガード９に設けられたブラケット１０にそれぞれ２本のボルト１１を用いて固定される。その後、車両フレーム３あるいはマッドガード７及び９の側端部を利用してポンプモータ２の側方にサイドカバー１２が取り付けられる。
【０００４】
【発明が解決しようとする課題】
しかしながら、車両フレーム３、搭載プレート６、マッドガード７及び８、サイドカバー１２によりほぼ密閉された空間が形成され、この空間内にポンプモータ２が搭載されるため、ポンプモータ２の駆動に伴って発生する熱が籠もりやすく、空間内が高温状態になる虞れがあった。高温の雰囲気下でポンプモータ２の駆動を続けると、ポンプモータ２のオーバーヒートが生じやすくなる。
この発明はこのような問題点を解消するためになされたもので、ポンプモータから発生する熱を効率良く放出することができるバッテリフォークリフトのポンプモータ取付構造を提供することを目的とする。
【０００５】
【課題を解決するための手段】
この発明に係るバッテリフォークリフトのポンプモータ取付構造は、車両フレームと前輪側マッドガード及び後輪側マッドガードとにより区画されたモータ室内に荷役用のポンプモータが搭載されたバッテリフォークリフトにおいて、モータ室の底部の一部にブラケットを張設すると共にこのブラケットの上にポンプモータを固定してモータ室の底部を車両外部に対して開放し、モータ室の前端部及び後端部を区画する前輪側マッドガード及び後輪側マッドガードの相対する位置にそれぞれ通風用の開口部を形成し、モータ室の上部を区画する車両フレームにも通風用の開口部を形成したものである。
【０００７】
【発明の実施の形態】
以下、この発明の実施の形態を添付図面に基づいて説明する。
図１にこの発明の実施の形態に係るバッテリフォークリフトのポンプモータ取付構造を示す。車両の一側部において前輪側マッドガード２１と後輪側マッドガード２２との間にモータ室２３が区画されている。これら前輪側マッドガード２１及び後輪側マッドガード２２によってモータ室２３の前端部及び後端部が区画され、モータ室２３の一方の側部及び上部は車両フレーム２４の一部によって区画され、モータ室２３の他方の側部及び底部は車両外部に向かって開放されている。モータ室２３の下部には、モータ室２３の一方の側部を区画する車両フレーム２４に溶接等により固定されたモータ固定用ブラケット２５と、マッドガード２１及び２２にそれぞれ溶接等により固定された連結用ブラケット２６及び２７とが設けられている。また、双方の連結用ブラケット２６及び２７の間に棒状のアングル材からなるモータ固定用ブラケット２８が張設されている。
【０００８】
モータ固定用ブラケット２５には、ポンプモータ２９を固定するためのボルト用切欠３０及び３１が形成され、連結用ブラケット２６及び２７にはそれぞれモータ固定用ブラケット２８を固定するためのボルト孔３２及び３３が形成され、モータ固定用ブラケット２８にはポンプモータ２９を固定するためのボルト孔３４及び３５と連結用ブラケット２６及び２７に連結するためのボルト孔３６及び３７とが形成されている。
【０００９】
また、車両外部に向かって開放されているモータ室２３の側部には、サイドカバー３８が脱着自在に取り付けられるようになっている。モータ室２３の上部を区画する車両フレーム２４には、サイドカバー３８に面する部分に通風用の開口部として切欠３９が形成され、マッドガード２１及び２２にはそれぞれ通風用の開口部として通風孔４０及び４１が形成されている。
【００１０】
モータ室２３内へのポンプモータ２９の取り付けは次のようにして行われる。まず、ポンプモータ２９の底部には図示しない４個のボルト孔が形成されており、その中の２個のボルト孔を用いてポンプモータ２９をモータ固定用ブラケット２８に固定する。すなわち、モータ固定用ブラケット２８のボルト孔３４及び３５に下方から上方へ向けて図示しないボルトを通し、これらのボルトをポンプモータ２９の底部のボルト孔に螺合させる。次に、モータ固定用ブラケット２８と共にポンプモータ２９をモータ室２３内に搬入し、モータ固定用ブラケット２８のボルト孔３６と連結用ブラケット２６のボルト孔３２にボルトを通すと共に、モータ固定用ブラケット２８のボルト孔３７と連結用ブラケット２７のボルト孔３３にボルトを通してモータ固定用ブラケット２８を連結用ブラケット２６及び２７に固定する。さらに、車両フレーム２４に固定されたモータ固定用ブラケット２５の切欠３０及び３１とポンプモータ２９の底部の残りの２個のボルト孔にそれぞれ下方からボルトを通すことによりポンプモータ２９とモータ固定用ブラケット２５とを固定する。
【００１１】
このようにしてポンプモータ２９をモータ室２３内に取り付け、ポンプモータ２９の配線作業を終えた後、サイドカバー３８を取り付けてモータ室２３の側部をカバーする。
【００１２】
ポンプモータ２９が搭載されたモータ室２３内の様子をサイドカバー３８とは反対側の車両フレーム２４から見た背面図及び後輪側マッドガード２２から見た側面図をそれぞれ図２及び図３に示す。ポンプモータ２９は振動吸収体４２を介してモータ固定用ブラケット２５及び２８上に固定されている。図２において、サイドカバー３８はマッドガード２１及び２２に設けられた取付具４３及び４４によって脱着自在にモータ室２３の側部に取り付けられている。
【００１３】
このポンプモータ取付構造においては、モータ室２３の底部が、車両フレーム２４に固定されたモータ固定用ブラケット２５と、マッドガード２１及び２２に固定された連結用ブラケット２６及び２７と、連結用ブラケット２６及び２７の間に張設された棒状のモータ固定用ブラケット２８とから構成され、ポンプモータ２９の下方が大きく開放されているので、ポンプモータ２９の駆動中に下方からモータ室２３内に風が入ってポンプモータ２９の冷却が行われる。また、モータ室２３の上部を区画する車両フレーム２４に切欠３９が形成されているため、ポンプモータ２９から発生した熱は上昇して切欠３９からモータ室２３の外部へ効率よく放出される。さらに、マッドガード２１及び２２にそれぞれ通風孔４０及び４１が形成されているため、車両の前進及び後進時にこれらの通風孔４０及び４１を介してモータ室２３内に風が入り、ポンプモータ２９が冷却される。
【００１４】
このようにこの発明のポンプモータ取付構造は、ポンプモータから発生する熱を効率良く放出してポンプモータを冷却することができるので、ポンプモータが高温になることが防止され、特に防爆バッテリフォークリフトに適したものである。
【００１５】
なお、上述した実施の形態においては、通風用の開口部としてモータ室２３の上部の車両フレーム２４に切欠３９を、マッドガード２１及び２２に通風孔４０及び４１をそれぞれ形成したが、双方とも切欠及び通風孔のいずれでもよく、モータ室２３内の通風性を確保できればよい。
【００１６】
【発明の効果】
以上説明したように、この発明によれば、モータ室内の通風性が確保され、ポンプモータから発生する熱を効率良く放出してポンプモータを冷却することが可能となる。
【図面の簡単な説明】
【図１】この発明の実施の形態に係るバッテリフォークリフトのポンプモータ取付構造を示す分解斜視図である。
【図２】実施の形態に係るポンプモータ取付構造をフォークリフトの車両フレーム側から見た背面図である。
【図３】実施の形態に係るポンプモータ取付構造を後輪側から見た側面図である。
【図４】従来のバッテリフォークリフトの車両フレームを示す平面図である。
【図５】従来のポンプモータ取付構造を示す分解斜視図である。
【符号の説明】
２１    前輪側マッドガード
２２    後輪側マッドガード
２３    モータ室
２４    車両フレーム
２５，２８    モータ固定用ブラケット
２６，２７    連結用ブラケット
２９    ポンプモータ
３８    サイドカバー
３９    切欠
４０，４１    通風孔
【図１】
0003777685.tif 000002
【図２】
0003777685.tif 000003
【図３】
0003777685.tif 000004
【図４】
0003777685.tif 000005
【図５】
0003777685.tif 000006